(57)【要約】【課題】ＣＣＤによって取得された画像データをモニタに表示可能な撮像装置において、大容量メモリを用いずに画像データをモニタに出力して消費電力の増加を抑えること。【解決手段】解像度変換が施された画像データをワーク用メモリに一時的に格納し、ワーク用メモリに格納された画像データを表示制御部のラインメモリに記憶する間接転送モードと、解像度変換が施された画像データを直接表示制御手段のラインメモリに記憶する直接転送モードの何れかの転送モードに従って画像データの転送を行う。直接転送モード又は間接転送モードの選択は、ＣＣＤの垂直同期信号の周期とモニタの垂直同期信号の周期が同じときは直接転送モード、周期が異なるときは間接転送モードとする。【選択図】図３
2008035307.tif 000002
【特許請求の範囲】
【請求項１】
二次元状に配列された複数の撮像素子と、該撮像素子に対して垂直同期信号に応じて露光を行わせて電荷信号を生成させ、該生成された電荷信号を画像データとして１ライン分ずつ又は複数ライン分ずつ順次出力する撮像制御手段と、該出力された画像データを少なくとも１ライン分ずつ記憶する複数の第１記憶手段を有し、該第１記憶手段を用いて前記画像データの解像度変換を行う解像度変換手段と、複数ライン分の画像データを記憶可能な第２記憶手段と、前記画像データの示す画像を表示画面に表示させる表示制御手段と、該表示制御手段に出力する画像データを記憶する第３記憶手段とを備える撮像装置において、
前記解像度変換手段によって解像度変換が施された画像データを前記第２の記憶手段に一時的に記憶させ、該第２記憶手段に記憶された画像データを前記表示制御手段から出力される要求信号に応答して前記第３記憶手段に記憶させる間接転送モードと、前記解像度変換が施された画像データを、前記第２記憶手段を介さずに、直接前記第３記憶手段に記憶させる直接転送モードの何れかの転送モードに従って前記解像度変換が施された画像データを前記第３の記憶手段に転送する転送制御手段を更に備え、
該転送制御手段は、前記垂直同期信号の周期と前記表示画面の垂直同期信号の周期が同じときは前記直接転送モードに従って前記解像度変換が施された画像データを前記第３の記憶手段に転送し、前記周期が異なるときは前記間接転送モードに従って前記解像度変換が施された画像データを前記第３の記憶手段に転送するものであることを特徴とする撮像装置。
【請求項２】
前記撮像制御手段から出力された画像データの一部画角を切り出して電子ズーム処理を行う電子ズーム手段を更に備え、
前記転送制御手段は、前記電子ズーム処理が行われた画像データを転送するときは、前記撮像素子の垂直同期信号と前記表示画面の垂直同期信号が同じであっても、前記間接転送モードに従って前記画像データを前記第３の記憶手段に転送するものであることを特徴とする請求項１に記載の撮像装置。
【請求項３】
前記撮像制御手段は、前記撮像素子から全ての電荷信号を読み出す全画素読み出しモードと、一部の前記電荷信号を読み出す間引き読み出しモードの何れかの読み出しモードに従って前記画像データを出力するものであり、
前記転送制御手段は、前記全画素読み出しモードで読み出された画像データを転送するときは、前記撮像素子の垂直同期信号と前記表示画面の垂直同期信号が同じであっても、前記間接転送モードに従って前記画像データを前記第３の記憶手段に転送するものであることを特徴とする請求項１又は２に記載の撮像装置。
【請求項４】
前記撮像制御手段から出力された画像データに基づいて動画データを生成する動画処理手段を更に備え、
前記転送制御手段は、前記動画データを転送するときは、前記撮像素子の垂直同期信号と前記表示画面の垂直同期信号が同じであっても、前記間接転送モードに従って前記画像データを前記第３の記憶手段に転送するものであることを特徴とする請求項１〜３の何れか一項に記載の撮像装置。
【請求項５】
前記表示制御手段は、前記表示画面の走査方式がフィールド走査であるか否かを検知する検知手段を有し、
前記表示画面の表示方式がフィールド走査であるとき、前記撮像素子の垂直同期信号と前記表示画面の垂直同期信号が同じであっても、前記転送制御手段は前記間接転送モードに従って前記解像度変換が施された画像データを前記第３の記憶手段に転送するものであることを特徴とする請求項１〜４の何れか一項に記載の撮像装置。
【請求項６】
前記解像度変換手段は、前記第１記憶手段を用いて前記撮像制御手段から出力された画像データに対してスプライン補間による解像度変換を行うスプライン補間処理手段と、前記撮像制御手段から出力された画像データを少なくとも１ライン分ずつ記憶可能である複数の第４記憶手段と、該第４記憶手段を用いて前記撮像制御手段から出力された画像データに対して線形補間による解像度変換を行う線形補間処理手段とを更に有するものであり、
前記第１記憶手段の数は前記第４記憶手段の数より多く、
前記転送制御手段が前記直接転送モードに従うとき、前記解像度変換手段は前記スプライン補間処理手段によって前記解像度変換を行い、前記間接転送モードに従うとき、前記解像度変換手段は前記線形補間処理手段によって前記解像度変換を行うものであることを特徴とする請求項１〜５の何れか一項に記載の撮像装置。
【発明の詳細な説明】
【技術分野】
【０００１】
本発明は、撮像素子によって取得された撮影画像をモニタに表示可能な撮像装置に関するものである。
【背景技術】
【０００２】
液晶ディスプレイ等のモニタを備えたデジタルカメラが多く普及している。このようなデジタルカメラは、ＣＣＤ等の撮像素子によって取得された画像をモニタにスルー画として表示させることができ、モニタを電子ビューファインダとして機能させることができる。
【０００３】
一般に、ＣＣＤによって取得された画像データのデータ数と、モニタ表示のために必要な画像データのデータ数が異なる場合が多いため、ＣＣＤによって取得された画像データの解像度変換を行った後にバッファメモリに画像データを一旦格納し、その後画像データをモニタへ出力していた（特許文献１〜４参照）
【特許文献１】特開平５−１７６２１３号公報
【特許文献２】特開平１０−１３７３５号公報
【特許文献３】特開平１０−３３６５７３号公報
【特許文献４】特開２００１−１９７３４８号公報
【発明の開示】
【発明が解決しようとする課題】
【０００４】
しかしながら、特許文献１〜４に記載された技術は、ＣＣＤによって取得された画像データをモニタに表示させるために、大容量メモリを使用している。このため、大容量メモリを駆動するための駆動電流が多くかかり、デジタルカメラの消費電力を増加させる原因となっていた。また、特許文献２に記載された技術は、ＣＣＤによって取得された画像データを直接モニタに出力することとしているが、ＣＣＤによって取得された画像データの出力を制御する必要があり、その制御に必要な制御回路を配置しなければいけなかった。
【０００５】
そこで、本発明は、ＣＣＤによって取得された画像データをモニタに表示可能な撮像装置において、大容量メモリを用いずに画像データをモニタに出力して消費電力の増加を抑えることを目的としている。
【課題を解決するための手段】
【０００６】
以上の課題を解決するために、本発明における撮像装置は、二次元状に配列された複数の撮像素子と、該撮像素子に対して垂直同期信号に応じて露光を行わせて電荷信号を生成させ、該生成された電荷信号を画像データとして１ライン分ずつ又は複数ライン分ずつ順次出力する撮像制御手段と、該出力された画像データを少なくとも１ライン分ずつ記憶する複数の第１記憶手段を有し、該第１記憶手段を用いて前記画像データの解像度変換を行う解像度変換手段と、複数ライン分の画像データを記憶可能な第２記憶手段と、前記画像データの示す画像を表示画面に表示させる表示制御手段と、該表示制御手段に出力する画像データを記憶する第３記憶手段とを備える撮像装置において、前記解像度変換手段によって解像度変換が施された画像データを前記第２の記憶手段に一時的に記憶させ、該第２記憶手段に記憶された画像データを前記表示制御手段から出力される要求信号に応答して前記第３記憶手段に記憶させる間接転送モードと、前記解像度変換が施された画像データを、前記第２記憶手段を介さずに、直接前記第３記憶手段に記憶させる直接転送モードの何れかの転送モードに従って前記解像度変換が施された画像データを前記第３の記憶手段に転送する転送制御手段を更に備え、該転送制御手段は、前記垂直同期信号の周期と前記表示画面の垂直同期信号の周期が同じときは前記直接転送モードに従って前記解像度変換が施された画像データを前記第３の記憶手段に転送し、前記周期が異なるときは前記間接転送モードに従って前記解像度変換が施された画像データを前記第３の記憶手段に転送するものであることを特徴としている。
【０００７】
また、前記撮像制御手段から出力された画像データの一部画角を切り出して電子ズーム処理を行う電子ズーム手段を更に備え、前記転送制御手段は、前記電子ズーム処理が行われた画像データを転送するときは、前記撮像素子の垂直同期信号と前記表示画面の垂直同期信号が同じであっても、前記間接転送モードに従って前記画像データを前記第３の記憶手段に転送するものであることとしてもよい。
【０００８】
また、前記撮像制御手段は、前記撮像素子から全ての電荷信号を読み出す全画素読み出しモードと、一部の前記電荷信号を読み出す間引き読み出しモードの何れかの読み出しモードに従って前記画像データを出力するものであり、前記転送制御手段は、前記全画素読み出しモードで読み出された画像データを転送するときは、前記撮像素子の垂直同期信号と前記表示画面の垂直同期信号が同じであっても、前記間接転送モードに従って前記画像データを前記第３の記憶手段に転送するものであることとしてもよい。
【０００９】
また、前記撮像制御手段から出力された画像データに基づいて動画データを生成する動画処理手段を更に備え、前記転送制御手段は、前記動画データを転送するときは、前記撮像素子の垂直同期信号と前記表示画面の垂直同期信号が同じであっても、前記間接転送モードに従って前記画像データを前記第３の記憶手段に転送するものであることとしてもよい。
【００１０】
前記表示制御手段は、前記表示画面の走査方式がフィールド走査であるか否かを検知する検知手段を有し、前記表示画面の表示方式がフィールド走査であるとき、前記撮像素子の垂直同期信号と前記表示画面の垂直同期信号が同じであっても、前記転送制御手段は前記間接転送モードに従って前記解像度変換が施された画像データを前記第３の記憶手段に転送するものであることとしてもよい。
【００１１】
また、前記解像度変換手段は、前記第１記憶手段を用いて前記撮像制御手段から出力された画像データに対してスプライン補間による解像度変換を行うスプライン補間処理手段と、前記撮像制御手段から出力された画像データを少なくとも１ライン分ずつ記憶可能である複数の第４記憶手段と、該第４記憶手段を用いて前記撮像制御手段から出力された画像データに対して線形補間による解像度変換を行う線形補間処理手段とを更に有するものであり、前記第１記憶手段の数は前記第４記憶手段の数より多く、前記転送制御手段が前記直接転送モードに従うとき、前記解像度変換手段は前記スプライン補間処理手段によって前記解像度変換を行い、前記間接転送モードに従うとき、前記解像度変換手段は前記線形補間処理手段によって前記解像度変換を行うものであることとしてもよい。
【発明の効果】
【００１２】
撮像素子の垂直同期信号の周期と表示画面の垂直同期信号の周期が同じ場合は、解像度変換手段で解像度変換が施された画像データを第２記憶手段を介さずに直接第３記憶手段に記憶させることにより、第２記憶手段を駆動せずにすむため、撮像装置の消費電力を抑えることができる。
【発明を実施するための最良の形態】
【００１３】
以下、図面を参照して本発明の実施の形態を説明する。
【００１４】
〔第１の実施の形態〕
図１は、本実施の形態におけるデジタルカメラ１００の機能構成の一例を示すブロック図である。撮影レンズ１は被写体像をＣＣＤ２の結像面上に結像させるためのものであり、フォーカスレンズやズームレンズ等によって構成される。ＣＣＤ２は多数の受光素子が二次元状に配置されてなる光電面を有しており、撮影レンズ１を通過した被写体像が光電面に結像され、光電変換される。光電面の前方には、各画素に光を集光させるためのマイクロレンズアレイ（不図示）と、ＲＧＢ各色のフィルタが規則的に配置されてなるカラーフィルタアレイ（不図示）とが配置されている。ＣＣＤ２は、ＣＣＤ制御部３から供給される垂直同期信号及び水平同期信号に同期して画素毎に蓄積された電荷信号を１ラインずつ読み出して画像データとして出力する。尚、本実施の形態では、ＣＣＤ２から画像データが１ラインずつ出力されることとして説明するが、出力される画像データは１ライン以上であってもよい。
【００１５】
タイミングジェネレータ４は、タイミング信号を発生させるものである。タイミング信号はＣＣＤ制御部３やアナログ信号処理部５等に出力され、シャッタボタン（不図示）の操作、シャッタ（不図示）の開閉、ＣＣＤ２の電荷信号取り込み、アナログ信号処理部５の処理の同期に用いられる。
【００１６】
アナログ信号処理部５は、ＣＣＤ２から出力された画像データのノイズ除去を行う相関２重サンプリング回路（ＣＤＳ）、ゲイン調整を行うオートゲインコントローラ（ＡＧＣ）、画像データをデジタルデータに変換するＡ／Ｄコンバータ（ＡＤＣ）等を備えて構成される。
【００１７】
画像処理部６は、アナログ信号処理部５から出力されたデジタル画像データに対して、ガンマ補正、シャープネス補正、コントラスト補正等の画質補正処理を施すと共に、輝度信号であるＹデータと、青色色差信号であるＣｂデータ及び赤色色差信号であるＣｒデータとからなるＹＣデータに変換するＹＣ処理等を行う。
【００１８】
解像度変換部７は、画像処理部６から出力された画像データの解像度をモニタ１０又は外部モニタ２１の解像度に合わせるための解像度変換処理を行う。図２に解像度変換部７の具体的な構成の一例を示す。解像度変換部７は水平解像度変換部７１、メモリセレクタ７２及び７７、第１ラインメモリ７３、第２ラインメモリ７４、第３ラインメモリ７５、第４ラインメモリ７６、垂直解像度変換部７８を備えて構成される。水平解像度変換部７１は、画像処理部６から出力された１ライン分の画像データに対して水平方向の解像度変換を行う。解像度変換が施された画像データはメモリセレクタ７２によって選択された第１〜第４ラインメモリの何れかに順次格納される。
【００１９】
尚、本実施の形態では４つのラインメモリを備える場合について説明するが、ＣＣＤ２の水平同期信号の周期がモニタ１０の水平同期信号の周期に対して整数倍の関係であれば、３つのラインメモリで動作が可能である。また、モニタ１０の水平同期信号の周期がＣＣＤ２の水平同期信号の周期に対して２倍より長い場合は、更にラインメモリが必要である。但し、これらはＣＣＤ２とモニタ１０の垂直方向における表示対象区間がほぼ同じ場合に適用可能であり、表示対象区間に大きな差がある場合は更にラインメモリが必要となる。
【００２０】
そして第１〜第４ラインメモリに格納された画像データは、メモリセレクタ７７によって選択されて、垂直解像度変換部７８に出力される。垂直解像度変換部７８では垂直方向の解像度変換が行われる。
【００２１】
図１に戻る。垂直解像度変換部７８によって垂直方向の解像度変換が行われた画像データは選択部８によって表示制御部９に出力されるか、又はメモリコントローラ１１を介してワーク用メモリ１２に格納される。選択部８はＣＰＵ１６から出力される制御信号に応じて、画像データを表示制御部９又はメモリコントローラ１１の何れかに出力する。
【００２２】
表示制御部９は、選択部８から出力された画像データをスルー画としてモニタ１０に表示させる。図２に表示制御部９の具体的な構成の一例を示す。表示制御部９は、第５ラインメモリ９１、第６ラインメモリ９２、メモリセレクタ９３及び表示処理部９４を備えて構成される。第５及び第６ラインメモリは、選択部８から出力された１ライン分の画像データを記憶する。メモリセレクタ９３は第５又は第６ラインメモリの何れかを選択して画像データを表示処理部９４へ出力する。表示処理部９４は、メモリセレクタ９３から出力された画像データを、例えば輝度（Ｙ）信号と色（Ｃ）信号を一緒にして１つの信号としたコンポジット信号に変換してモニタ１０又は外部モニタ２１に出力する。
【００２３】
モニタ１０は液晶ディスプレイ等で構成されており、撮影モード時はスルー画を表示する等電子ビューファインダとして機能する他、撮影直後の撮影画像の表示、再生モード時には静止画、動画の再生、各種設定メニューの表示を行う。外部モニタ２１はブラウン管テレビ、液晶テレビ、プラズマテレビや、パソコンのディスプレイ等である。
【００２４】
図１に戻る。メモリコントローラ１１は選択部８から出力された画像データをワーク用メモリ１２に格納するための制御を行う。また、メディア制御部１３に対してワーク用メモリ１２に格納された画像データの送受信制御を行う。ワーク用メモリ１２は、メモリコントローラ１１から出力された画像データを一時的に格納するものであり、ＤＲＡＭ等の大容量メモリで構成される。メディア制御部１３は外部記録メディア３１に記憶された画像データ等の読み出し、又は書き込み等を行う。
【００２５】
操作部１４は、デジタルカメラ１００の操作に必要なボタン、レバー、スイッチ等であり、ユーザの操作に応じて操作信号をＣＰＵ１６に出力する。
【００２６】
圧縮／伸長処理部１５は、影画像データに対して、例えばＪＰＥＧ等の圧縮方式で圧縮処理を行って圧縮画像データを生成する。更に、再生モードにおいては、外部記録メディア３１から読み出された圧縮画像データに対して伸長処理を行う。
【００２７】
ＣＰＵ１６は、操作部１４や各機能ブロックからの信号に応じて、デジタルカメラ１００の本体各部の制御を行う。
【００２８】
ここで、従来、解像度変換部７において解像度変換が行われた画像データは一旦ワーク用メモリ１２に格納され、表示制御部９から出力されるライン要求信号等に応じてワーク用メモリ１２に格納された画像データが表示制御部９に出力されていた。しかし、ワーク用メモリ１２はＤＲＡＭ等の大容量メモリであるため、データの読み出し及び書き込みによる駆動電流が多く発生し、デジタルカメラ１００の消費電力増加の原因となっていた。
【００２９】
ワーク用メモリ１２に画像データを一時的に格納させる理由は、ＣＣＤ２の垂直同期信号の周期とモニタ１０の垂直同期信号の周期が異なるためであった。従って、ＣＣＤ２の垂直同期信号の周期とモニタ１０の垂直同期信号の周期が同じであれば、画像データをワーク用メモリ１２に格納させず、表示制御部９の第５及び第６ラインメモリに直接転送しても表示処理が可能である。更にワーク用メモリ１２を用いる必要がないため、消費電力を抑えることができる。
【００３０】
以下、解像度変換部７から出力された画像データを直接第５及び第６ラインメモリに転送する場合（直接転送モード）と、ワーク用メモリ１２に格納した後に第５及び第６ラインメモリに転送する場合（間接転送モード）の動作について、タイミングチャートを用いて説明する。
【００３１】
図３はＣＣＤ２の垂直本数よりモニタ１０の垂直本数が多い場合、図４はモニタ１０の垂直本数よりＣＣＤ２の垂直本数が多い場合の直接転送モードにおけるタイミングチャートについて示した図である。
【００３２】
まずＣＣＤ側の垂直同期信号に同期して、ＣＣＤ２の撮像有効領域における電荷信号の取り込みが開始され、ＣＣＤ側の水平同期信号に同期してＣＣＤ２から１ライン分の画像データがアナログ信号処理部５に出力される。ＣＣＤ２から出力された画像データはアナログ信号処理部５、画像処理部６を介して解像度変換部７の水平解像度変換部７１において水平方向の解像度変換が施され、第１〜第４ラインメモリに順次記憶される。
【００３３】
そして、第１ラインメモリ７３及び第２ラインメモリ７４に画像データが記憶された時点で２ライン分の画像データが垂直解像度変換部７８へ出力されて線形補間処理が施され、垂直方向の解像度変換が行われる。尚、本実施の形態では線形補間を例に説明するが、スプライン補間等、他の補間処理を用いてもよい。但し、スプライン補間を用いる場合は、解像度変換部７におけるラインメモリを図２に示した数より多く設置する必要がある。
【００３４】
通常、選択部８は垂直解像度変換部７８に対してウエイト信号を出力しており、表示処理部９４から出力されたライン要求信号及びライン番号信号に応答して、このウエイト信号を解除する。ウエイト信号が解除されたら、垂直解像度変換部７８は画像データを選択部８へ出力する。画像データは選択部８を介して第５又は大６ラインメモリに記憶される。
【００３５】
そして、表示処理部９４から出力されるライン要求信号及びライン番号信号がディスイネーブル状態になったら、選択部８は再び垂直解像度変換部７８に対してウエイト信号を出力する。尚、２ライン分の画像データが揃った時点で選択部８においてライン要求信号及びライン番号信号を受け付けられるように、ＣＣＤ側の垂直同期信号より後に表示側の垂直同期信号を発生させるようにすることが望ましい。
【００３６】
次に、メモリセレクタ９３は第５又は第６ラインメモリの何れか一方を交互に選択し、選択されたラインメモリに記憶された画像データが表示処理部９４に出力される。表示処理部９４は水平同期信号に同期して画像データをモニタ１０に出力する。
【００３７】
図５は間接転送モードにおけるタイミングチャートについて示した図である。ＣＣＤ２の垂直同期信号の周期とモニタ１０の垂直同期信号の周期が異なる場合は、間接転送モードによって処理が行われる。
【００３８】
まずＣＣＤ側の垂直同期信号に同期して、ＣＣＤ２の撮像有効領域における電荷信号の取り込みが開始され、ＣＣＤ側の水平同期信号に同期してＣＣＤ２から１ライン分の画像データがアナログ信号処理部５に出力される。ＣＣＤ２から出力された画像データはアナログ信号処理部５、画像処理部６を介して解像度変換部７の水平解像度変換部７１において水平方向の解像度変換が施され、第１〜第４ラインメモリに順次記憶される。
【００３９】
そして、第１ラインメモリ７３及び第２ラインメモリ７４に画像データが記憶された時点で２ライン分の画像データは垂直解像度変換部７８へ出力されて線形補間処理が施され、垂直方向の解像度変換が行われる。
【００４０】
間接転送モードの場合、選択部８から垂直解像度変換部７８に対してウエイト信号は出力されず、垂直解像度変換部７８において解像度変換が終了したら、逐次選択部８に対して画像データが出力される。選択部８は画像データに対してアドレスを付与して、メモリコントローラ１１に出力する。メモリコントローラ１１はこの画像データをワーク用メモリ１２に記憶する。
【００４１】
そして、表示処理部９４から出力されたライン要求信号及びライン番号信号に応答して、選択部８はワーク用メモリ１２から画像データを読み出して第５又は第６ラインメモリに順次出力する。メモリセレクタ９３は第５又は第６ラインメモリの何れか一方を交互に選択し、選択されたラインメモリに記憶された画像データが表示処理部９４に出力される。表示処理部９４は水平同期信号に同期して画像データをモニタ１０に出力する。
【００４２】
尚、直接転送モード又は間接転送モードのモード指定は、ＣＰＵ１６から選択部８に対して指示信号が出力されて行われる。選択部８はこの指示信号に従い、解像度変換部７に記憶された画像データを直接表示制御部９の第５及び第６ラインバッファに転送するか、又はメモリコントローラ１１を介してワーク用メモリ１２に記憶させる。
【００４３】
以上、説明したように、ＣＣＤ２の垂直同期信号の周期とモニタ１０の垂直同期信号の周期が同じ場合は、解像度変換部７で解像度変換が施された画像データをワーク用メモリ１２を介すことなく直接表示制御部９のラインメモリに記憶させることにより、ワーク用メモリ１２を駆動せずにすむため、消費電力を抑えることができる。
【００４４】
〔第２の実施の形態〕
第１の実施の形態では、ＣＣＤ２の垂直同期信号の周期とモニタ１０の垂直同期信号の周期が同じ場合は直接転送モードとし、周期が異なる場合は間接転送モードとするとして説明した。第２の実施の形態では、上記条件に加え、ズームの状態が光学ズーム、電子ズームの何れに移行するかによってモードの切り替えを行う場合について説明する。尚、本実施の形態におけるデジタルカメラ１００の機能ブロック図、直接転送モード時及び間接転送モード時のタイミングチャートは図１〜図５に示したものと同一であるため、説明を省略する。
【００４５】
光学ズームとは、撮影レンズ１に含まれるズームレンズを光軸方向に移動させることによって被写体像のズーム処理を行う方法であり、電子ズームとは、画像データの一部画角を切り出してズーム処理を行うズーム法である。光学ズームであればＣＣＤ２から読み出される電荷信号の読み取り領域に変化はないが、電子ズームの場合は電荷信号の読み取り領域が光学ズームの読み取り領域より垂直・水平方向共に中央寄りに変化する。つまり、ＣＣＤ２における電荷信号の読み取り領域が極端に小さくなるため、表示側において画像データを保持するためのバッファが必要になる。従って、ＣＣＤ２の垂直同期信号の周期とモニタ１０の垂直同期信号の周期が同じであっても、ズームレンズが電子ズーム領域に位置しているときは間接転送モードに従って画像データの転送を行う。
【００４６】
図６はズームの状態に従った直接転送モード、間接転送モードの切り替え方法について説明したフローチャートである。まず操作部１４が有するズームボタンの押下信号がＣＰＵ１６に入力されると（ステップＳ１１；ＹＥＳ）、ＣＰＵ１６はズームボタンの押下に連動して撮影レンズ１が有するズームレンズの位置を移動させるための指示信号を出力する。そしてズームボタンの押下が終了した時点において、ズームレンズが光学ズーム領域、電子ズーム領域の何れに位置しているかを判別する（ステップＳ１２）。ズームレンズが電子ズーム領域に位置し（ステップＳ１２；ＹＥＳ）、直前（例えばズームボタンの押下前）のズームレンズの位置が光学ズーム領域であった場合は（ステップＳ１５；ＹＥＳ）、ＣＰＵ１６は転送モードを直接転送モードから間接転送モードに切り替えて、その指示信号を選択部８に出力する（ステップＳ１６）。一方、直前のズームレンズの位置が電子ズーム領域であった場合は（ステップＳ１５；ＮＯ）、モードの切り替えは行わない。
【００４７】
また、ステップＳ１２において、現在のズームレンズの位置が光学ズーム領域であり（ステップＳ１２；ＮＯ）、直前のズームレンズの位置が電子ズーム領域であった場合は（ステップＳ１３；ＹＥＳ）、ＣＰＵ１６は転送モードを間接転送モードから直接転送モードに切り替えて、その指示信号を選択部８に出力する（ステップＳ１４）。一方、直前のズームレンズの位置が光学ズーム領域であった場合は（ステップＳ１３；ＮＯ）、モードの切り替えは行わない。
【００４８】
〔第３の実施の形態〕
第３の実施の形態では、ＣＣＤ２の垂直同期信号の周期とモニタ１０の垂直同期信号の周期が同じ場合は直接転送モードとし、周期が異なる場合は間接転送モードとする条件に加え、ＣＣＤ２の読み出しモードが全画素読み出しモード、間引き読み出しモードの何れであるかによってモードの切り替えを行う場合について説明する。尚、本実施の形態におけるデジタルカメラ１００の機能ブロック図、直接転送モード時及び間接転送モード時のタイミングチャートは図１〜図５に示したものと同一であるため、説明を省略する。
【００４９】
全画素読み出しモードとは、ＣＣＤ２を構成する全ての撮像素子から電荷信号を読み出すモードである。高画質な画像データを取得する必要があるとき（例えば撮影時）は全画素読み出しモードで電荷信号の読み出しが行われる。間引き読み出しモードとは、一部のＣＣＤ２から電荷信号を読み出すモードであり、例えば撮影待機時（スルー画表示時）など、画像データの画質を問わないときに用いられるモードである。
【００５０】
撮影待機時にスルー画を表示する際は、モニタ１０における画像の動きをスムーズにするために、通常フレームレートを大きくする。従って、間引き読み出しモード時はモニタ１０の垂直同期信号の周期とＣＣＤ２の垂直同期信号の周期とを同じにすることができるため、直接転送モードによって画像データの転送が可能である。
【００５１】
しかし、全画素読み出しモード時はＣＣＤ２の垂直同期信号の周期がモニタ１０の垂直同期信号の周期よりも長くなってしまう。そこで、間引き読み出しモード時は直接転送モードで画像データの転送を行い、撮影画像の取得時は間接転送モードで画像データの転送を行う。
【００５２】
図７はＣＣＤ２の電荷信号の読み出しモードに従った直接転送モード、間接転送モードの切り替え方法について説明したフローチャートである。まず操作部１４が有するシャッタボタンの押下信号がＣＰＵ１６に入力されると（ステップＳ２１；ＹＥＳ）、ＣＰＵ１６は全画素読み出しモードとするための指示信号をＣＣＤ制御部３に出力する（ステップＳ２２）。これによりＣＣＤ２から全画素読み出しモードに従って画像データが出力される。そしてＣＰＵ１６は転送モードを直接転送モードから間接転送モードに切り替えて、その指示信号を選択部８に出力する（ステップＳ２３）。
【００５３】
撮影処理が終了すると（ステップＳ２４；ＹＥＳ）、ＣＰＵ１６は間引き読み出しモードとするための指示信号をＣＣＤ制御部３に出力し（ステップＳ２５）、転送モードを間接転送モードから直接転送モードに切り替えて、その指示信号を選択部８に出力する（ステップＳ２６）。
【００５４】
〔第４の実施の形態〕
第４の実施の形態では、ＣＣＤ２の垂直同期信号の周期とモニタ１０の垂直同期信号の周期が同じ場合は直接転送モードとし、周期が異なる場合は間接転送モードとする条件に加え、動画撮影時であるか否かに応じてモードの切り替えを行う場合について説明する。尚、本実施の形態におけるデジタルカメラ１００の機能ブロック図、直接転送モード時及び間接転送モード時のタイミングチャートは図１〜図５に示したものと同一であるため、説明を省略する。
【００５５】
近年、静止画に加え動画の撮影が可能なデジタルカメラが多く普及している。動画撮影の待機時（スルー画表示時）においては、ＣＣＤ２の垂直同期信号の周期とモニタ１０の垂直同期信号の周期が同じ場合は直接転送モードにて画像データの転送を行えるが、動画撮影時は高画質の画像データの取得が必要であるため、全画素読み出しモードとなる。更に、動画撮影によって取得された画像データは圧縮処理が施されて外部記録メディア３１に記録されるため、圧縮／伸長処理部１５に画像データが出力される必要があり、圧縮／伸長処理部１５がアクセス可能なワーク用メモリ１２に画像データが一時的に記憶される方が好ましい。従って、動画撮影の待機時は直接転送モードに従って画像データの転送を行い、動画撮影時は間接転送モードに従って画像データの転送を行う。
【００５６】
図８は、動画撮影に応じた直接転送モード、間接転送モードの切り替え方法について説明したフローチャートである。まず操作部１４が有するモードレバーによって動画撮影モードが選択され（ステップＳ３１；ＹＥＳ）、更に録画開始ボタンの押下信号がＣＰＵ１６に入力されると（ステップＳ３２；ＹＥＳ）、ＣＰＵ１６は転送モードを直接転送モードから間接転送モードに切り替えて、その指示信号を選択部８に出力する（ステップＳ３３）。
【００５７】
そして動画撮影が終了すると（ステップＳ３４；ＹＥＳ）、ＣＰＵ１６は転送モードを間接転送モードから直接転送モードに切り替えて、その指示信号を選択部８に出力する（ステップＳ３５）。
【００５８】
〔第５の実施の形態〕
第５の実施の形態では、ＣＣＤ２の垂直同期信号の周期とモニタ１０の垂直同期信号の周期が同じ場合は直接転送モードとし、周期が異なる場合は間接転送モードとする条件に加え、画像データの示す画像を表示する表示装置の走査方式がフィールド走査であるか否かに応じてモードの切り替えを行う場合について説明する。尚、本実施の形態におけるデジタルカメラ１００の機能ブロック図、直接転送モード時及び間接転送モード時のタイミングチャートは図１〜図５に示したものと同一であるため、説明を省略する。
【００５９】
近年、外部モニタ２１に対して画像データを送信可能な外部出力端子等を備え、外部モニタ２１にスルー画を表示可能なデジタルカメラが多く普及している。ＣＣＤ２はフレーム単位での読み出しが一般的であるため、外部モニタ２１がＳＤＴＶ（Standard Definition Television）のようなフィールド走査によって画像が表示される表示装置では、垂直方向の解像度が損なわれてしまう。従って、スルー画を表示する表示装置がフィールド走査のものであれば間接転送モードに従って画像データの転送を行い、例えば液晶ディスプレイやＨＤＴＶ（High Definition Television）のようなフレーム走査のものであれば直接転送モードに従って画像データの転送を行う。
【００６０】
図９は、スルー画表示に用いる表示装置の走査方式に応じた直接転送モード、間接転送モードの切り替え方法について説明したフローチャートである。まず表示制御部９が外部出力端子と外部モニタ２１の接続を検知したら（ステップＳ４１；ＹＥＳ）、表示制御部９は外部モニタ２１の走査方式を判別する。外部モニタ２１の走査方式がフィールド走査であり（ステップＳ４２；ＹＥＳ）、切り替え検知前は直接転送モードであった場合は（ステップＳ４３；ＹＥＳ）、ＣＰＵ１６は転送モードを直接転送モードから間接転送モードに切り替えて、その指示信号を選択部８に出力する（ステップＳ４４）。検知前は間接転送モードであった場合（ステップＳ４３；ＮＯ）、ＣＰＵ１６は転送モードの切り替えを行わない。
【００６１】
一方、接続された外部モニタ２１の走査方式がフィールド走査ではなく（ステップＳ４２；ＮＯ）、切り替え検知前は間接転送モードであった場合は（ステップＳ４５；ＹＥＳ）、ＣＰＵ１６は転送モードを間接転送モードから直接転送モードに切り替えて、その指示信号を選択部８に出力する（ステップＳ４６）。検知前は直接転送モードであった場合（ステップＳ４５；ＮＯ）、ＣＰＵ１６は転送モードの切り替えを行わない。
【００６２】
〔第６の実施の形態〕
第６の実施の形態では、解像度変換を行う際、直接転送モードの場合はスプライン補間を用い、間接転送モードの場合は線形補間を用いる場合について説明する。図１０は本実施の形態におけるデジタルカメラ２００の機能構成の一部を示したブロック図である。図１で示したデジタルカメラ１００のブロック図と同一の機能要素については同じ符号を付し、説明を省略する。
【００６３】
解像度変換部１７は、線形補間処理部１７１とスプライン補間処理部１７２を備えて構成される。線形補間処理部１７１は線形補間によって解像度変換を行うものであり、図２に示すように例えば４つのラインメモリ７３〜７４を有する。スプライン補間処理部１７２はスプライン補間によって解像度変換を行うものであり、ディストーションの補正を行うために線形補間処理部１７１が有するラインメモリより多くのラインメモリを有する。スプライン補間は線形補間に比べて高解像度な画質を作り出すことができるため、主に記録用の画像データを解像度変換する際に用いられる。
【００６４】
つまり、スプライン補間処理部１７２は線形補間処理部１７１よりも多くのラインメモリを有するため、画像データのバッファリングをより長時間行うことができる。従って、直接転送モード時はスプライン補間処理部１７２のラインメモリを利用することによって画像データの転送をスムーズに行うことができる。一方、間接転送モード時は解像度変換された画像データを逐次ワーク用メモリ１２に格納すればよく、解像度変換部１７において画像データを長時間バッファリングする必要はないため、線形補間処理部１７１を用いて解像度変換処理を行えばよい。
【図面の簡単な説明】
【００６５】
【図１】デジタルカメラの機能ブロック図
【図２】解像度変換部及び表示制御部の機能ブロック図
【図３】直接転送モード時のタイミングチャート
【図４】直接転送モード時のタイミングチャート
【図５】間接転送モード時のタイミングチャート
【図６】第２の実施の形態における転送モード切り替えの流れを示した図
【図７】第３の実施の形態における転送モード切り替えの流れを示した図
【図８】第４の実施の形態における転送モード切り替えの流れを示した図
【図９】第５の実施の形態における転送モード切り替えの流れを示した図
【図１０】第６の実施の形態におけるデジタルカメラの機能ブロック図
【符号の説明】
【００６６】
１００、２００  デジタルカメラ
１        撮影レンズ
２        ＣＣＤ
３        ＣＣＤ制御部
４        タイミングジェネレータ
５        アナログ信号処理部
６        画像処理部
７、１７  解像度変換部
１７１    線形補間処理部
１７２    スプライン補間処理部
８        選択部
９        表示制御部
１０      モニタ
１１      メモリコントローラ
１２      ワーク用メモリ
１３      メディア制御部
１４      操作部
１５      圧縮／伸長処理部
１６      ＣＰＵ
２１      外部モニタ
３１      外部記録メディア
【図１】
2008035307.tif 000003
【図２】
2008035307.tif 000004
【図３】
2008035307.tif 000005
【図４】
2008035307.tif 000006
【図５】
2008035307.tif 000007
【図６】
2008035307.tif 000008
【図７】
2008035307.tif 000009
【図８】
2008035307.tif 000010
【図９】
2008035307.tif 000011
【図１０】
2008035307.tif 000012